(57)【要約】      （修正有）【課題】スライドレール本体に用いる安全装置を提供する。【解決手段】第一レール体１２は案内路３０を備え、第一制御体４４、第二制御体４６は前記第一レール体に位置し、前記第一制御体は第一圧着部５６と第一制御部５８とを備え、前記第二制御体は第二圧着部６０と第二制御部６２とを備える。弾性体４８は前記第一制御体、第二制御体に連結し、前記圧着部、制御部を対応する前記案内路に保持する。前記制御部に対応して第一制御壁、第二制御壁を配置して、前記制御部を密着させ、前記案内路内に保持させる。第二レール体１４は前記案内路を経て前記第一レール体に挿入し連接すると、前記第一制御体、第二制御体は必ず同時に前記第二レール体の働きを受けて動かされ、前記制御部は前記第一レール体の案内路を離れるため、前記第二レール体は挿入続け、正確に前記第一レール体に連接する。【選択図】図１
0003163904.tif 000002
【実用新案登録請求の範囲】
【請求項１】
第一壁と第二壁と前記第一壁及び第二壁に連結しそれらを延伸させる連接板とを備え、前記第一壁、第二壁、連接板は共に転動媒体物を収めるための第一通路と第二通路とを形成し、前記第一通路の転動媒体物から第二通路の転動媒体物間を案内路とする第一レール体と、
第一案内面と第二案内面とをそれぞれ備える上壁と下壁と、上壁と下壁から延伸しそれに連接する側板とを備え、前記案内路から第一レール体内に挿入され、並びに第一案内面と第二案内面が前記転動媒体物に連接して第一レール体に対してスライド移動する第二レール体と、
第一レール体に可動状態で配置して第二レール体を挿入するスタート端とし、第一圧着部と前記第一圧着部に対応する第一制御部とを備え、前記第一圧着部と第一制御部は前記第一レール体の案内路に対応する第一制御体と、
第一レール体に可動状態で配置して第二レール体を挿入するスタート端とし、第二圧着部と前記第二圧着部に対応する第二制御部とを備え、前記第二圧着部と第二制御部は前記第一レール体の案内路に対応する第二制御体と、
第一制御体と第二制御体に連結して前記第一制御体の第一圧着部と第一制御部を対応する第一レール体の案内路に保持させ、しかも第二制御体の第二圧着部及び第二制御部は対応する前記第一レール体の案内路に保持する弾性体とにより構成され、
前記第二制御体に対応する第二制御部には第一制御壁を配置し、前記第一制御体に対応する第一制御部には第二制御壁を配置して前記第二制御部及び第一制御部を定位させ、
前記第二レール体は前記案内路を経由して前記第一レール体に挿入する時、前記第一制御体及び前記第二制御体はその第一圧着部と第二圧着部が前記第二レール体に共に押されて前記第一レール体の案内路を離れるため、前記第一制御体の第一制御部は前記第一レール体の案内路を離れ、しかも前記第二制御体の第二制御部は前記第一レール体の案内路を離れることを特徴とするスライドレール本体。
【請求項２】
前記第一制御体と第二制御体は前記第一レール体に軸着し、交差し合うように配置されることを特徴とする請求項１記載のスライドレール本体。
【請求項３】
前記第一制御体の第一圧着部は前記第二レール体の上壁に対応し、前記第二制御体の第二圧着部は前記第二レール体の下壁に対応することを特徴とする請求項１記載のスライドレール本体。
【請求項４】
更に前記第一レール体に固定する固定片を備え、前記第一制御体と第二制御体は前記固定片に軸着するため、前記第一制御体の第一圧着部と第一制御部、及び前記第二制御体の第二圧着部と第二制御部は前記第一レール体に対して可動することを特徴とする請求項１記載のスライドレール本体。
【請求項５】
前記第一制御体は前記第一圧着部と前記第一制御部間に設ける第一軸着孔を備え、前記第二制御体は前記第二圧着部と前記第二制御部間に設ける第二軸着孔を備え、前記第一制御体の第一軸着孔と前記第二制御体の第二軸着孔は前記固定片に軸着されることを特徴とする請求項４記載のスライドレール本体。
【請求項６】
前記弾性体は第一部分と、前記第一部分に対応する第二部分と、前記第一部分と前記第二部分間にある中段部とを備え、前記第一部分と前記第二部分間には弾力を備え、前記中段部は前記第一レール体に連結し、前記弾性体の第一部分は前記第一制御体に連結し、前記弾性体の第二部分は前記第二制御体に連結することを特徴とする請求項１記載のスライドレール本体。
【請求項７】
更に第一支持体と第二支持体を備え、前記第一レール体の近くの第一壁に固定する前記第一支持体には第一案内部と第一収容室と第二収容室とを備え、前記第一案内部は第二レール体の第一案内面を圧着し、前記第一収容室は第一制御体の第一圧着部を収め、前記第二収容室は前記第二制御体の第二制御部を収め、前記第一制御壁は前記第二収容室に相隣し、第二支持体は前記第一レール体の近くの第二壁に固定し、前記第二支持体は第二案内部と第三収容室と第四収容室とを備え、前記第二案内部は前記第二レール体の第二案内面に圧着し、前記第三収容室は前記第二制御体の第二圧着部を収め、前記第四収容室は前記第一制御体の第一制御部を収め、前記第二制御壁は前記第四収容室に隣り合うことを特徴とする請求項１記載のスライドレール本体。
【請求項８】
前記第一支持体と第二支持体は全体で単一のメイン支持体を形成し、架設部を備え、前記第一制御体と第二制御体は可動状態で前記架設部に配置され、前記第一レール体に対して可動することを特徴とする請求項７記載のスライドレール本体。
【請求項９】
前記第一制御壁と第二制御壁は前記第一レール体に配置されることを特徴とする請求項１記載のスライドレール本体。
【請求項１０】
スタート端を備える第一レール体と、前記スタート端を経てスライド可能状態で前記第一レール体に連接する第二レール体とを備え、前記第一レール体のスタート端に取り付けるスライドレール本体の安全装置であって、
前記第一レール体に固着する固定片と、
前記固定片に軸着し、第一圧着部と前記第一圧着部に対応する第一制御部とを備える第一制御体と、
前記固定片に軸着し、第二圧着部と前記第二圧着部に対応する第二制御部とを備え、前記第一制御体と前記第二制御体は前記固定片において交差状態に配置する第二制御体と、
第一部分と前記第一部分に対応する第二部分と前記第一部分と前記第二部分間にある中段部とを備え、前記第一部分と前記第二部分間は弾力を備え、前記弾性体の第一部分は前記第一制御体に連結し、前記弾性体の第二部分は前記第二制御体に連結する弾性体と、
前記第一レール体に固定し、第一案内部と第一収容室と第二収容室と前記第二収容室に隣り合う第一制御壁とを備え、前記第一収容室は前記第一制御体の第一圧着部を収め、前記第二収容室は前記第二制御体の第二制御部を収め、前記第一制御壁には前記第二制御体を密着させる第一支持体と、
前記第一レール体に固定し、第二案内部と第三収容室と第四収容室と前記第四収容室に隣り合う第二制御壁とを備え、前記第三収容室は前記第二制御体の第二圧着部を収め、前記第四収容室は前記第一制御体の第一制御部を収め、前記第二制御壁は前記第一制御体を密着させる第二支持体とにより構成されることを特徴とするスライドレール本体の安全装置。
【考案の詳細な説明】
【技術分野】
【０００１】
本考案はスライドレール本体に用いる安全装置に係り、特にスライドレール間の重なり合う箇所の連結状態を監視する安全装置に関する。
【背景技術】
【０００２】
図１２に示す通り、公知のスライドレール本体は第一レール体１とスライド状態で前記第一レール体１に連結する第二レール体２とを備え、前記第二レール体２は前記第一レール体１から取り外することが可能であり、再度挿入して前記第一レール体１に取り付けることも可能である。一般的にこの種のスライドレール本体はサーバーラックやチェスト、類似する伸縮移動可能な物体上に応用されている。例えば、前記第一レール体をラック（ｒａｃｋ）やチェスト本体や固定物に固着し、前記第二レール体を台（ｃｈａｓｓｉｓ）、引き出しや可動体に固着することにより、台（ｃｈａｓｓｉｓ）、引き出しや可動体をそれに対応するラック（ｒａｃｋ）、チェスト本体や固定物から引っ張り出して使用できる。
【０００３】
しかし、公知のスライドレール本体には全くセイフティ機構が備えられておらず、即ち、第二レール体２が第一レール体１に誤って挿入されることを防止するための保護設計がないため、前記スライドレール本体が重い物を載せて支えなければならない時、例えば台（ｃｈａｓｓｉｓ）や引き出しの場合であるが、台（ｃｈａｓｓｉｓ）や引き出しを組み立てる過程において或いはラックやチェスト本体から引っ張り出す時に抜け落ちる可能性があり、使用上の危険性を有し物品の損傷を引き起こすことにもなる。
【０００４】
前記第二レール体２が正確に前記第一レール体１に挿入されていない状況はよく見られ、図１３に示すようにただ第二レール体２の下方レール体３だけが正しく第一レール体１の案内路４の下方に挿入されているが、第二レール体２の上方レール体５は第一レール体１の案内路４上方に挿入されていないため単に一時的だけの不安定な支持となり、重い物を載せる時は安全性が失われる。
【０００５】
そこで、前述した公知の欠点を改善すべくスライドレール本体に用いる安全装置の提供が必要となる。
【考案の概要】
【考案が解決しようとする課題】
【０００６】
本考案の主な目的は、スライドレール間の重なり合う箇所の連結を誤りなく確実に行い、使用者の不当な操作や気付かずに発生する危険を防止することを可能にするスライドレール本体に用いる安全装置を提供することにある。
【課題を解決するための手段】
【０００７】
本考案の観点に基づくスライドレール本体は第一レール体と第二レール体と第一制御体と第二制御体と弾性体とにより構成される。前記第一レール体は、第一壁と第二壁と前記第一壁及び第二壁に連結しそれらを延伸させる連接板とを備え、前記第一壁と第二壁と連接板は共に転動媒体物を収めるための第一通路と第二通路とを形成し、前記第一通路の転動媒体物から第二通路の転動媒体物間を案内路とする。前記第二レール体は、上壁と下壁と前記上壁と下壁から延伸しそれに連接する側板とを備え、前記上壁と下壁はそれぞれ第一案内面と第二案内面とし、前記第二レール体は前記案内路から第一レール体内に挿入され、並びに第一案内面と第二案内面が前記転動媒体物に連接して第一レール体に対してスライド移動する。前記第一制御体は、前記第一レール体に可動状態で配置して第二レール体を挿入するスタート端とし、第一制御体は第一圧着部と前記第一圧着部に対応する第一制御部とを備え、前記第一制御体の前記第一圧着部と第一制御部は前記第一レール体の案内路に対応する。第二制御体は、第一レール体に可動状態で配置して第二レール体を挿入するスタート端とし、第二制御体は、第二圧着部と前記第二圧着部に対応する第二制御部とを備え、前記第二制御体の第二圧着部と第二制御部は前記第一レール体の案内路に対応する。前記弾性体は、第一制御体と第二制御体に連結して前記第一制御体の第一圧着部と第一制御部を対応する第一レール体の案内路に保持させ、しかも前記第二制御体の第二圧着部及び第二制御部は対応する前記第一レール体の案内路に保持する。前記第二制御体に対応する第二制御部には第一制御壁を配置し、前記第一制御体に対応する第一制御部には第二制御壁を配置して前記第二制御部と第一制御部とを定位させ、前記第二レール体は前記案内路を経由して前記第一レール体に挿入する時、前記第一制御体及び前記第二制御体はその第一圧着部と第二圧着部が前記第二レール体に共に押されて前記第一レール体の案内路を離れるため、前記第一制御体の第一制御部は前記第一レール体の案内路を離れ、しかも前記第二制御体の第二制御部は前記第一レール体の案内路を離れる。
【０００８】
前記第一制御体と第二制御体は前記第一レール体に軸着し、交差し合うように配置することを最良とする。
【０００９】
前記第一制御体の第一圧着部は前記第二レール体の上壁に対応し、前記第二制御体の第二圧着部は前記第二レール体の下壁に対応することを最良とする。
【００１０】
更に前記第一レール体に固定する固定片を備え、前記第一制御体と第二制御体は前記固定片に軸着するため、前記第一制御体の第一圧着部と第一制御部、及び前記第二制御体の第二圧着部と第二制御部は前記第一レール体に対して可動することを最良とする。
【００１１】
前記第一制御体は前記第一圧着部と前記第一制御部間に設ける第一軸着孔を備え、前記第二制御体は前記第二圧着部と前記第二制御部間に設ける第二軸着孔を備え、前記第一制御体の第一軸着孔と前記第二制御体の第二軸着孔は前記固定片に軸着することを最良とする。
【００１２】
前記弾性体は第一部分と、前記第一部分に対応する第二部分と、前記第一部分と前記第二部分間にある中段部とを備え、前記第一部分と前記第二部分間には弾力を備え、前記中段部は前記第一レール体に連結し、前記弾性体の第一部分は前記第一制御体に連結し、前記弾性体の第二部分は前記第二制御体に連結することを最良とする。
【００１３】
更に第一支持体と第二支持体を備え、前記第一レール体の近くの第一壁に固定する前記第一支持体には第一案内部と第一収容室と第二収容室とを備え、前記第一案内部は第二レール体の第一案内面を圧着し、前記第一収容室は第一制御体の第一圧着部を収め、前記第二収容室は前記第二制御体の第二制御部を収め、前記第一制御壁は前記第二収容室に相隣し、第二支持体は前記第一レール体の近くの第二壁に固定し、前記第二支持体は第二案内部と第三収容室と第四収容室とを備え、前記第二案内部は前記第二レール体の第二案内面に圧着し、前記第三収容室は前記第二制御体の第二圧着部を収め、前記第四収容室は前記第一制御体の第一制御部を収め、前記第二制御壁は前記第四収容室に隣合うことを最良とする。
【００１４】
前記第一支持体と第二支持体は全体で単一のメイン支持体を形成し、架設部を備え、前記第一制御体と第二制御体は可動状態で前記架設部に配置され、前記第一レール体に対して可動することを最良とする。
【００１５】
前記第一制御壁と第二制御壁は前記第一レール体に配置することを最良とする。
【考案の効果】
【００１６】
本考案の提供するスライドレール本体に用いる安全装置は、スライドレール間の重なり合う箇所の連結を誤りなく確実に行い、使用者の不当な操作や気付かずに発生する危険を防止することを可能にするという効果を奏する。
【図面の簡単な説明】
【００１７】
【図１】本考案の実施例１に関する安全装置とスライドレール本体の分解図である。
【図２】本考案の実施例１に関する一対の支持体をスライドレール本体に取り付けた状態の配置図である。
【図３】本考案の実施例１に関する一部部材の取り付け対応配置図である。
【図４】本考案の実施例１に関し、第一レール体に照準を合わせて挿入した第二レール体が安全装置に接触した状態の断面図である。
【図５】本考案の実施例１に関する安全装置が照準を合わせた第二レールに押圧されて位置をずらした状態の断面図である。
【図６】本考案の実施例１に関する安全装置が照準を合わせた第二レールに押圧された後、更に動いた状態の断面図である。
【図７】本考案の実施例１に関する第二レール体が第一レール体に照準を合わせて挿入されておらず一部の安全装置を押圧した状態の断面図である。
【図８】本考案の実施例１に関する第二レール体が第一レール体に照準を合わせて挿入されておらず安全装置の制御を受けた状態の断面図である。
【図９】本考案の実施例２に関する安全装置の配置図である。
【図１０】本考案の実施例３に関する安全装置の配置図である。
【図１１】本考案の実施例４に関する安全装置の配置図である。
【図１２】公知のスライドレール本体の配置図である。
【図１３】公知のスライドレール本体が正確に連結されていない場合の配置図である。
【考案を実施するための形態】
【００１８】
図１及び図２に示す通り、本考案の良好な実施例において、スライドレール本体１０は、第一レール体１２と、縦方向に前記第一レール体１２に対応してスライド状態で連結するか分離する第二レール体１４と、第二レール体１４を挿入するための前記第一レール体１２のスタート端１７に取り付ける安全装置１６とを備える。
【００１９】
前記第一レール体１２は、第一壁１８と、第二壁２０と、前記第一壁１８、第二壁２０に連結しそれらを延伸させる連接板２２とを備え、前記第一壁１８、第二壁２０と連接板２２は共同で第一通路２４と第二通路２６とを形成し、転動媒体物２８を内設し、前記転動媒体物２８は複数のローリングボールとし、保持器２９（ｒｅｔａｉｎｅｒ）を使って複数のローリングボールを配置する。本実施例において、前記第一通路２４の転動媒体物２８から第二通路２６の転動媒体物２８間には案内路３０を形成する。
【００２０】
前記第二レール体１４は上壁３２と下壁３４と、上壁３２と下壁３４から延伸しそれに連接する側板３６とを備え、前記上壁３２と下壁３４にはそれぞれ第一案内面３８と第二案内面４０とを備える。前記第二レール体１４は前記案内路３０から第一レール体１２内に挿入され、並びに、第一案内面３８と第二案内面４０は前記転動媒体物２８に連接するため、第二レール体１４は第一レール体１２に対してスライド移動する。
【００２１】
前記安全装置１６には前記第一レール体１２に取り付けて固定する固定片４１と、前記固定片４１に設ける第一制御体４４、第二制御体４６と、前記第一制御体４４、第二制御体４６に連結する弾性体４８と、前記第一レール体１２に取り付ける第一支持体５０、第二支持体５２とを備える。
【００２２】
前記第一制御体４４は、例えば軸着部品５４を前記固定片４１に軸着する等して前記固定片４１に可動状態で配置する。前記第一制御体４４は、第一圧着部５６と、前記第一圧着部５６に対応する第一制御部５８と、前記第一圧着部５６と第一制御部５８の間に設ける第一軸着孔５７とを備え、前記第一制御体４４の第一圧着部５６及び第一制御部５８は前記第一レール体１２の案内路３０に対応させる。最もよいのは、前記第一制御体４４の第一圧着部５６を前記第二レール体１４の上壁３２に対応させることである。
【００２３】
前記第二制御体４６は、例えば前記軸着部品５４を使って前記固定片４１に軸着する等して可動状態で前記固定片４１に配置する。前記第二制御体４６は、第二圧着部６０と、前記第二圧着部６０に対応する第二制御部６２と、前記第二圧着部６０と第二制御部６２間に設ける第二軸着孔６１とを備え、前記第二制御体４６の第二圧着部６０及び第二制御部６２は前記第一レール体１２の案内路３０に対応させる。最もよいのは、前記第二制御体４６の第二圧着部６０を前記第二レール体１４の下壁３４に対応させることである。本実施例は図３に示す通り、前記第一制御体４４と前記第二制御体４６は前記軸着部品５４を使って前記第一軸着孔５７と前記第二軸着孔６１に貫設し、前記固定片４１上の固定孔４２に連結し、前記第一制御体４４と前記第二制御体４６は交差状態で設置し、並びに前記固定片４１に設ける穿孔４３と前記第一レール体１２とはリベット接合し、前記第一制御体４４、第二制御体４６は前記第一レール体１２に対して回動する。
【００２４】
前記弾性体４８は第一部分６４と、前記第一部分６４に対応する第二部分６６と、前記第一部分６４と前記第二部分６６間にある中段部６８とを備える。前記第一部分６４と前記第二部分６６間には弾力を備え、前記中段部６８は前記第一レール体１２に連結する。図３に示す通り、前記第一レール体１２には定位孔１３と前記第一レール体１２から前記定位孔１３内に延伸して前記中段部６８を前記定位孔１３内に進入させる嵌合体１５を備え、前記嵌合体１５と前記中段部６８とを嵌合して定位させる。前記弾性体４８の第一部分６４は前記第一制御体４４に連結し、前記弾性体４８の第二部分６６は前記第二制御体４６に連結し、前記第一制御体４４と前記第二制御体４６は前記弾性体４８の弾力の働きにより対応する前記第一レール体１２の案内路３０に保持される。
【００２５】
前記第一支持体５０は固定状態で前記第一レール体１２の近くの第一壁１８に取り付け、前記第一支持体５０には、前記第二レール体１４の第一案内面３８に対応する第一案内部７０と、前記第一案内部７０に対応する第一収容室７２及び第二収容室７４と、前記第二収容室７４に隣り合う第一制御壁７６とを備える。前記第二レール体１４を前記第一レール体１２に挿入する時は、図４に示す通り、前記第一支持体５０の第一案内部７０は前記第二レール体１４の第一案内面３８を圧着し案内用とする。前記第一制御壁７６には第二制御体４６を密着させて前記第二制御部６２を定位する。
【００２６】
前記第二支持体５２は固定状態で前記第一レール体１２の近くの第二壁２０に取り付け、前記第二支持体５２には、前記第二レール体１４の第二案内面４０に対応する第二案内部８０と、前記第二案内部８０に対応する第三収容室８２及び第四収容室８４と、前記第四収容室８４に隣り合う第二制御壁８６とを備える。前記第二レール体１４を前記第一レール体１２に挿入する時は、図４に示す通り、前記第二支持体５２の第二案内部８０は前記第二レール体１４の第二案内面４０を圧着し案内用とする。前記第二制御壁８６には第一制御体４４を密着させて前記第一制御部５８を定位する。
【００２７】
図４乃至図６に示す通り、前記第二レール体１４を外側から前記第一レール体１２に挿入した時、前記第二レール体１４の第一案内面３８及び第二案内面４０は正確に前記第一レール体１２の案内路３０内に挿入され、前記第一支持体５０の第一案内部７０及び前記第二支持体５２の第二案内部８０により前記第二レール体１４の第一案内面３８及び第二案内面４０を案内する。前記第一制御体４４及び前記第二制御体４６は第一圧着部５６及び第二圧着部６０によって前記第二レール体１４の上壁３２と下壁３４に共に押されて一定角度に偏って回転する。それは図５及び図６に示す通りであるが、前記第一制御体４４の第一圧着部５６が前記第一支持体５０の第一収容室７２内に進入し、前記第一制御体４４の第一制御部５８が前記第二支持体５２の第四収容室８４内に進入すると、前記第一制御体４４の第一圧着部５６と第一制御部５８は前記第一レール体１２の案内路３０を離れて前記第二レール体１４を遮ることはない。同時に、前記第二制御体４６の第二圧着部６０は前記第二支持体５２の第三収容室８２内に進入し、且つ前記第二制御体４６の第二制御部６２は前記第一支持体５０の第二収容室７４内に進入する。前記第一制御体４４の第一制御部５８と前記第二制御体４６の第二制御部６２は何れも前記第一レール体１２の案内路３０を離れて前記第二レール体１４の下壁３４と上壁３２を遮ることはないため、前記第二レール体１４は前記第一レール体１２内に続けて挿入する。これは図６に示す通りである。よって、このメカニズムを使って、前記第二レール体１４の一部がスムーズに前記第一レール体１２に挿入されれば、必ず前記第二レール体１４の第一案内面３８及び第二案内面４０はスムーズに第一支持体５０の第一案内部７０及び前記第二支持体５２の第二案内部８０を圧着するため、前記第二レール体１４は前記第一レール体１２の案内路３０に正常に挿入される。
【００２８】
それに対して、図７には前記第二レール体１４が前記第一レール体１２内に正確に挿入されなかった場合を示す。例えば、前記第二レール体１４のただ下壁３４だけが前記第一レール体１２内の第二支持体５２に照準を合わせて挿入され、前記第二レール体１４の上壁３２が前記第一レール体１２内の第一支持体５０に挿入されていない場合、即ち、前記第二レール体１４の第一案内面３８が第一支持体５０の第一案内部７０に圧着されず、前記第一制御体４４の第一圧着部５６が前記第二レール体１４の上壁３２によって押圧されて働きを受けない場合、前記第一制御体４４は依然として動かず、前記第一制御部５８は前記第二制御壁８６を圧し続け、前記第一レール体１２の案内路３０内に留まるため、前記第二レール体１４の下壁３４が前記第一レール体１２内の第二支持体５２に沿ってスライドする時、前記第二レール体１４はただ前記第二制御体４６の第二圧着部６０だけを押圧して通過した後、前記第一制御体４４の第一制御部５８に圧して止められる前記下壁３４は押して中に入れることはできなくなる。これは図８に示す通りである。よって、もし前記第二レール体１４が前記第一レール体１２内に正確に挿入されない場合は、前記第一制御体４４の働きによって前記第二レール体１４の前記第一レール体１２に挿入する動線が阻止されるため、前記第二レール体１４は前記第一レール体１２へのスムーズな取り付けが不可能になり、操作者は取り付けの誤りを察知して再度操作ができる故、第一レール体１２と第二レール体１４間のただ下辺だけが連結していても知らないという状況が起こらず、確かでないことに起因する使用上の危険性を避けることができる。
【００２９】
また、注意すべき点は、前記安全装置１６の第一制御体４４と前記第一レール体１２に対応する第二制御体４６とは可動状態で配置された関係である。よって、前記第一制御体４４と前記第二制御体４６は可動状態で前記第一レール体１２から延伸する固定片８８に連結する点であり、これは図９に示す軸着設置である。または、前記安全装置１６の第一支持体５０と第二支持体５２は単一の主支持体９０に形成し、しかも架設部９２を備え、前記架設部９２は前記第一制御体４４及び前記第二制御体４６を可動状態で連結するもので、例えば図１０に示した軸着設置で、前記主支持体９０を前記第一レール体１２に取り付けて固定した後、前記第一制御体４４及び前記第二制御体４６は前記第一レール体１２に対して可動するものとする。
【００３０】
並びに、図１０及び図１１に示す通り、前記安全装置１６の第一支持体５０の第一制御壁７６は前記第一レール体１２に配置した第一制御壁９４ａに対応し、前記第二支持体５２の第二制御壁８６は前記第一レール体１２に配置した第二制御壁９４ｂに対応し、前記第二制御壁９４ｂと第一制御壁９４ａにより前記第一制御体４４と前記第二制御体４６は対応する前記第一レール体１２がスタート状態である時相互に押圧し、前記第一制御部５８と第二制御部６２を定位する。
【００３１】
本考案の実施例は前述に開示した通りであるが、それは本考案を限定するものではなく、本考案の保護範囲は添付する実用新案登録請求の範囲を基準とする。
【符号の説明】
【００３２】
１０      スライドレール本体
１２      第一レール体
１３      定位孔
１４      第二レール体
１５      嵌合体
１６      安全装置
１７      スタート端
１８      第一壁
２０      第二壁
２２      連接板
２４      第一通路
２６      第二通路
２８      転動媒体物
２９      保持器
３０      案内路
３２      上壁
３４      下壁
３６      側板
３８      第一案内面
４０      第二案内面
４１      固定片
４２      固定孔
４３      穿孔
４４      第一制御体
４６      第二制御体
４８      弾性体
５０      第一支持体
５２      第二支持体
５４      軸着部品
５６      第一圧着部
５７      第一軸着孔
５８      第一制御部
６０      第二圧着部
６１      第二軸着孔
６２      第二制御部
６４      第一部分
６６      第二部分
６８      中段部
７０      第一案内部
７２      第一収容室
７４      第二収容室
７６      第一制御壁
８０      第二案内部
８２      第三収容室
８４      第四収容室
８６      第二制御壁
８８      固定片
９０      主支持体
９２      架設部
９４ａ    第一制御壁
９４ｂ    第二制御壁
【図１】
0003163904.tif 000003
【図２】
0003163904.tif 000004
【図３】
0003163904.tif 000005
【図４】
0003163904.tif 000006
【図５】
0003163904.tif 000007
【図６】
0003163904.tif 000008
【図７】
0003163904.tif 000009
【図８】
0003163904.tif 000010
【図９】
0003163904.tif 000011
【図１０】
0003163904.tif 000012
【図１１】
0003163904.tif 000013
【図１２】
0003163904.tif 000014
【図１３】
0003163904.tif 000015